(57)【要約】【課題】ネットワークを介して衣服や装身具などのコーディネートを支援する。【解決手段】店舗１，９が取り扱う商品の商品情報及びコーディネート情報を商品情報ＤＢ（データベース）３，１１に格納するステップと、利用者の写真と体型データと所有するアイテムに関するアイテム情報データとを利用者の情報通信端末５，１３に設定するステップと、店舗１，９の情報通信端末２，１０が、商品情報ＤＢ３，１１に格納された商品情報及びコーディネート情報を利用者の情報通信端末５，１３に配信するステップと、利用者の情報通信端末５．１３が、受信した商品情報及びコーディネート情報と、設定された写真と体型データとアイテム情報データとを組み合わせることにより、コーディネートのシミュレーションを行って表示するステップと、を設ける。【選択図】      図１
2006133981.tif 000002
【特許請求の範囲】
【請求項１】
ネットワークを介してアイテムのコーディネートを支援するアイテムコーディネート支援方法であって、
店舗において、前記店舗が取り扱う商品の商品情報及びコーディネート情報をデータベースに格納するステップと、
利用者の写真と前記利用者の体型データと前記利用者が所有するアイテムに関するアイテム情報データとを前記利用者の情報通信端末に設定するステップと、
前記店舗の情報通信端末が、前記データベースに格納された前記商品情報及びコーディネート情報を前記ネットワークを介して前記利用者の情報通信端末に配信するステップと、
前記利用者の情報通信端末が、前記ネットワークを介し、前記店舗から前記商品情報及び前記コーディネート情報とを受信するステップと、
前記利用者の情報通信端末が、前記受信した商品情報及びコーディネート情報と、前記設定された前記写真と前記体型データと前記アイテム情報データとを組み合わせることにより、コーディネートのシミュレーションを行って表示するステップと、
を有する、アイテムコーディネート支援方法。
【請求項２】
ＩＰ通信網と該ＩＰ通信網上に構築された意味情報ネットワークとを介してアイテムのコーディネートを支援するアイテムコーディネート支援方法であって、
店舗の情報通信端末が、前記店舗が取り扱う商品の商品情報及び／またはコーディネート情報を意味情報部及びデータ部として有するイベントを前記意味情報ネットワークに送信するステップと、
利用者の情報通信端末において、前記利用者の写真と前記利用者の体型データと前記利用者が所有するアイテムに関するアイテム情報データとを設定するステップと、
前記利用者の情報通信端末が、欲しい商品の商品情報をフィルタとして前記意味情報ネットワークに登録し設定するステップと、
前記イベントに反応して前記フィルタが発火した場合に、前記利用者の情報通信端末が前記店舗からの商品情報及び／またはコーディネート情報を自動受信するステップと、
前記利用者の情報通信端末が、前記受信した商品情報及びコーディネート情報と、前記設定された前記写真と前記体型データと前記アイテム情報データとを組み合わせることにより、コーディネートのシミュレーションを行って表示するステップと、
を有する、アイテムコーディネート支援方法。
【請求項３】
ＩＰ通信網と該ＩＰ通信網上に構築された意味情報ネットワークとを介してアイテムのコーディネートを支援するアイテムコーディネート支援方法であって、
店舗の情報通信端末が、前記店舗が取り扱う商品の商品情報及び／またはコーディネート情報を意味情報部として有するフィルタとして前記意味情報ネットワークに登録し設定するステップと、
利用者の情報通信端末において、前記利用者の写真と前記利用者の体型データと前記利用者が所有するアイテムに関するアイテム情報データとを設定するステップと、
前記利用者の情報通信端末が、欲しい商品の商品情報をイベントとして前記意味情報ネットワークに送信する登録し設定するステップと、
前記イベントに反応して前記フィルタが発火した場合に、前記店舗の情報通信端末が前記利用者の前記イベントを自動受信するステップと、
とを有する、アイテムコーディネート支援方法。
【請求項４】
前記利用者の情報通信端末が、他の利用者からのコーディネート情報を受信するステップをさらに有し、前記利用者の情報通信端末は、前記他の利用者からのコーディネート情報を用いて前記シミュレーションを行う、請求項１または２に記載のアイテムコーディネート支援方法。
【請求項５】
ネットワークを介してアイテムのコーディネートを支援するアイテムコーディネート支援システムであって、
店舗に対応付けられる情報通信端末と、前記店舗に対応付けられて前記店舗が取り扱う商品の商品情報及びコーディネート情報を格納するデータベースと、を有し、
情報通信端末は、前記データベースを管理する手段と、前記データベースに接続して利用者側に対して商品のコーディネート情報を提供する手段と、前記利用者側からの発注を受け付ける手段と、前記商品情報及び／または前記商品コーディネート情報を前記ネットワーク上でホームベージとして公開する手段と、を有する、アイテムコーディネート支援システム。
【請求項６】
ＩＰ通信網と該ＩＰ通信網上に構築された意味情報ネットワークとを介してアイテムのコーディネートを支援するアイテムコーディネート支援システムであって、
店舗に対応付けられる情報通信端末と、前記店舗に対応付けられて前記店舗が取り扱う商品の商品情報及びコーディネート情報を格納するデータベースと、を有し、
前記情報通信端末は、前記データベースを管理する手段と、前記データベースに接続して利用者側に対して商品のコーディネート情報を提供する手段と、前記利用者側からの発注を受け付ける手段と、前記商品情報及び／または前記商品コーディネート情報を前記ネットワーク上でホームベージとして公開する手段と、前記店舗が取り扱う商品の商品情報及び／またはコーディネート情報を意味情報部として有するフィルタとして前記意味情報ネットワークに登録し設定する手段と、を有する、アイテムコーディネート支援システム。
【請求項７】
ネットワークを介してアイテムのコーディネートを支援するアイテムコーディネート支援システムで用いられ、利用者に対応付けられる情報通信端末であって、
前記利用者の写真と前記利用者の体型データと前記利用者が所有するアイテムに関するアイテム情報データとを格納する手段と、
前記格納する手段へのデータの格納を制御する手段と、
店舗側から商品情報及び／またはコーディネート情報を受信する手段と、
前記受信した商品情報及びコーディネート情報と、前記設定された前記写真と前記体型データと前記アイテム情報データとを組み合わせることにより、コーディネートのシミュレーションを行って表示する手段と、
を有する、情報通信端末。
【請求項８】
さらに、他の利用者からのコーディネート情報を取得する手段を備える、請求項７に記載の情報通信端末。
【請求項９】
ＩＰ通信網と該ＩＰ通信網上に構築された意味情報ネットワークとを介してアイテムのコーディネートを支援するアイテムコーディネート支援システムで用いられ、利用者に対応付けられる情報通信端末であって、
前記利用者の写真と前記利用者の体型データと前記利用者が所有するアイテムに関するアイテム情報データとを格納する手段と、
前記格納する手段へのデータの格納を制御する手段と、
欲しい商品の商品情報をフィルタとして前記意味情報ネットワークに登録し設定する手段と、
前記フィルタが発火したときに店舗側から商品情報及び／またはコーディネート情報を受信する手段と、
前記受信した商品情報及びコーディネート情報と、前記設定された前記写真と前記体型データと前記アイテム情報データとを組み合わせることにより、コーディネートのシミュレーションを行って表示する手段と、
を有する、情報通信端末。
【発明の詳細な説明】
【技術分野】
【０００１】
本発明は、衣服、装身具、服飾品などのコーディネートを支援する方法及びシステムに関し、特に、ＩＰ(Internet Protocol)や意味情報ネットワーク（ＳＩＯＮｅＴ：Semantic Information Oriented Network）を利用することによって、複数の商品販売店から提供される商品情報及びコーディネート情報と、利用者が現に所有するアイテムに関する情報とに基づいて、コーディネートのシミュレーションを行い、利用者に対して商品情報を提供するアイテムコーディネート支援方法及びシステムに関する。
【背景技術】
【０００２】
従来、消費者は、衣服、装身具、服飾品などの商品を購入する際に、ジャケットとズボンとの組合せ、ブラウスとスカートとの組合せなどの衣服の上下の組合せや、ネックレスやブローチなどの装身具と衣服との組合せ、さらには帽子やマフラー、靴と衣服との組合せなど、アイテムのコーディネートの良否の判断に悩むことが多かった。そして、コーディネートに関して店員などに相談して、最終的に購入する商品を決める場合が多かった。
【０００３】
また、所望の衣服や装身具、あるいはコーディネートの観点から好ましい衣服や装身具を販売している店舗の数は限られ、また、そのような店舗は地域的に偏在しているので、遠方にある店舗に出向いてそれらの店舗から商品を購入したり、それらの店舗で扱っている商品のコーディネート情報（そのアイテムをどのようにコーディネートすればよいかの情報）を入手することは難しかった。
【０００４】
近年、インターネットなどのネットワークを利用することにより、遠隔地もおいても衣服や装身具、服飾品などのファッションアイテムの購入が可能となってきた。そして、ネットワークを介し、従来ならば店頭でしか受けられないような、コーディネートに関するアドバイスを受けられるようになってきた。例えば、特開２００３−１２２９６７号公報（「ファッション商品の購入システムと購入方法及びそのコンピュータプログラム」）（特許文献１）には、アドバイザによるファッション情報の提供やアドバイスを可能にした、ファッション商品の購入システムが提案されている。このシステムでは、購入者は、購入希望する商品を販売業者のサーバから選択し、選択した商品をコンピュータ上で購入者の身体三次元データに合わせて仮想的に試着することを可能にした仮想試着手段と、仮想試着した結果についての評価を行い、この評価結果を購入者に対して知らせるインターネットに接続されたアドバイザ端末とが設けられており、商品の購入者は、アドバイザ端末からの評価を参照して、仮想試着した商品の購入を決定することができるようになっている。このシステムでは、アドバイザ端末を用いて、アドバイザが、商品購入者に対してコーディネートの評価を行っている。
【０００５】
本明細書においては、衣服、装身具、服飾品などのことを総称してアイテム（あるいはファッションアイテム）と呼ぶことにし、また、店舗には、通常の店舗のほか、インターネット上に開設されるいわゆるサイバー店舗や仮想店舗、ネットショップも含まれるものとする。アイテムは、身に付けるもの一般を指すものであり、靴やマフラー、帽子、ハンドバック、傘といったものも含まれるものとする。
【特許文献１】特開２００３−１２２９６７号公報
【特許文献２】特開２００２−９４５６１号公報
【発明の開示】
【発明が解決しようとする課題】
【０００６】
コーディネートの対象となるアイテムは同一の店舗で販売しているとは限られず、また、購入者が既に所有しているアイテムとの組合せでコーディネートの良し悪しを判断したい場合も多いことから、単一の店舗から商品情報やコーディネート情報を入手するだけでは、コーディネートに関する購入者の要求を満たすことはできない。しかしながら従来のシステムは、単一の店舗からの商品情報、コーディネート情報は容易に入手できるものの、異なる複数の店舗から商品情報、コーディネート情報を取得することは、いちいち各店舗にアクセスし直す必要があるなど、煩雑な手間がかかり、現実的ではない。さらには、従来のシステムでは、事業者（あるいは店舗）以外の第三者が提供するコーディネート情報、例えば、その商品を既に購入した１人または複数の消費者がまとめたコーディネート情報を取得することができない。
【０００７】
結局、従来のシステムでは、購入候補の商品に関する、複数の店舗がそれぞれ推薦するコーディネート情報や、第三者（例えば、その商品についての他の購入者）によるコーディネート情報を参考情報として入手することができない。したがって、購入者は、それら複数の店舗のそれぞれからのコーディネート情報、あるいは第三者からのコーディネート情報を参照に入手し、購入者自身の写真や体型と、購入者自身が所有するアイテムに関するデータとを組み合わせて、購入者の自身の好みや快適性、流行などを考えながら柔軟にコーディネートを楽しむことができなかった。
【０００８】
そこで本発明の目的は、ネットワークを利用し、複数の店舗における在庫商品などの商品情報と各店舗が推薦するコーディネート情報と、店舗以外の第三者によるコーディネート情報などを参照情報として入手することができ、購入者（利用者）自身が自ら所持する衣服や装身具についての商品情報と組み合わせて、ファッションアイテムのコーディネートのシミュレーションを行うことができる、アイテムコーディネート支援方法及びシステムと、そのようなシステムで用いられる情報通信端末とを提供することにある。
【課題を解決するための手段】
【０００９】
本発明の第１のアイテムコーディネート支援方法は、ネットワークを介してアイテムのコーディネートを支援するアイテムコーディネート支援方法であって、店舗において、店舗が取り扱う商品の商品情報及びコーディネート情報をデータベースに格納するステップと、利用者の写真と利用者の体型データと利用者が所有するアイテムに関するアイテム情報データとを利用者の情報通信端末に設定するステップと、店舗の情報通信端末が、データベースに格納された商品情報及びコーディネート情報をネットワークを介して利用者の情報通信端末に配信するステップと、利用者の情報通信端末が、ネットワークを介し、店舗から商品情報及びコーディネート情報とを受信するステップと、利用者の情報通信端末が、受信した商品情報及びコーディネート情報と、設定された写真と体型データとアイテム情報データとを組み合わせることにより、コーディネートのシミュレーションを行って表示するステップと、を有する。
【００１０】
本発明の第２のアイテムコーディネート支援方法は、ＩＰ通信網とＩＰ通信網上に構築された意味情報ネットワークとを介してアイテムのコーディネートを支援するアイテムコーディネート支援方法であって、店舗の情報通信端末が、店舗が取り扱う商品の商品情報及び／またはコーディネート情報を意味情報部及びデータ部として有するイベントを意味情報ネットワークに送信するステップと、利用者の情報通信端末において、利用者の写真と利用者の体型データと利用者が所有するアイテムに関するアイテム情報データとを設定するステップと、利用者の情報通信端末が、欲しい商品の商品情報をフィルタとして意味情報ネットワークに登録し設定するステップと、イベントに反応してフィルタが発火した場合に、利用者の情報通信端末が店舗からの商品情報及び／またはコーディネート情報を自動受信するステップと、利用者の情報通信端末が、受信した商品情報及びコーディネート情報と、設定された写真と体型データとアイテム情報データとを組み合わせることにより、コーディネートのシミュレーションを行って表示するステップと、を有する。
【００１１】
本発明の第３のアイテムコーディネート支援方法は、ＩＰ通信網とＩＰ通信網上に構築された意味情報ネットワークとを介してアイテムのコーディネートを支援するアイテムコーディネート支援方法であって、店舗の情報通信端末が、店舗が取り扱う商品の商品情報及び／またはコーディネート情報を意味情報部として有するフィルタとして意味情報ネットワークに登録し設定するステップと、利用者の情報通信端末において、利用者の写真と利用者の体型データと利用者が所有するアイテムに関するアイテム情報データとを設定するステップと、利用者の情報通信端末が、欲しい商品の商品情報をイベントとして意味情報ネットワークに送信する登録し設定するステップと、イベントに反応してフィルタが発火した場合に、店舗の情報通信端末が利用者のイベントを自動受信するステップと、とを有する。
【００１２】
本発明の第１のアイテムコーディネート支援システムは、ネットワークを介してアイテムのコーディネートを支援するアイテムコーディネート支援システムであって、店舗に対応付けられる情報通信端末と、店舗に対応付けられて店舗が取り扱う商品の商品情報及びコーディネート情報を格納するデータベースと、を有し、情報通信端末は、データベースを管理する手段と、データベースに接続して利用者側に対して商品のコーディネート情報を提供する手段と、利用者側からの発注を受け付ける手段と、商品情報及び／または商品コーディネート情報をネットワーク上でホームベージとして公開する手段と、を有する。
【００１３】
本発明の第２のアイテムコーディネート支援システムは、ＩＰ通信網とＩＰ通信網上に構築された意味情報ネットワークとを介してアイテムのコーディネートを支援するアイテムコーディネート支援システムであって、店舗に対応付けられる情報通信端末と、店舗に対応付けられて店舗が取り扱う商品の商品情報及びコーディネート情報を格納するデータベースと、を有し、情報通信端末は、データベースを管理する手段と、データベースに接続して利用者側に対して商品のコーディネート情報を提供する手段と、利用者側からの発注を受け付ける手段と、商品情報及び／または商品コーディネート情報をネットワーク上でホームベージとして公開する手段と、店舗が取り扱う商品の商品情報及び／またはコーディネート情報を意味情報部として有するフィルタとして意味情報ネットワークに登録し設定する手段と、を有する。
【００１４】
本発明の第１の情報通信端末は、ネットワークを介してアイテムのコーディネートを支援するアイテムコーディネート支援システムで用いられ、利用者に対応付けられる情報通信端末であって、利用者の写真と利用者の体型データと利用者が所有するアイテムに関するアイテム情報データとを格納する手段と、格納する手段へのデータの格納を制御する手段と、店舗側から商品情報及び／またはコーディネート情報を受信する手段と、受信した商品情報及びコーディネート情報と、設定された写真と体型データとアイテム情報データとを組み合わせることにより、コーディネートのシミュレーションを行って表示する手段と、を有する。
【００１５】
本発明の第２の情報通信端末は、ＩＰ通信網とＩＰ通信網上に構築された意味情報ネットワークとを介してアイテムのコーディネートを支援するアイテムコーディネート支援システムで用いられ、利用者に対応付けられる情報通信端末であって、利用者の写真と利用者の体型データと利用者が所有するアイテムに関するアイテム情報データとを格納する手段と、格納する手段へのデータの格納を制御する手段と、欲しい商品の商品情報をフィルタとして意味情報ネットワークに登録し設定する手段と、フィルタが発火したときに店舗側から商品情報及び／またはコーディネート情報を受信する手段と、受信した商品情報及びコーディネート情報と、設定された写真と体型データとアイテム情報データとを組み合わせることにより、コーディネートのシミュレーションを行って表示する手段と、を有する。
【００１６】
本発明において情報通信端末は、移動情報通信端末であってもよい。
【発明の効果】
【００１７】
ネットショップでは実際に商品を手にとることができないが、本発明のシステムを利用することにより、利用者は、複数の店舗での商品情報とそれらの店舗が推薦するコーディネート情報とを入手することが可能であり、また、第三者（他の利用者など）からのコーディネート情報を入手することが可能である。したがって、利用者は、従来は近隣の店舗からしか入手できなかった商品情報及びコーディネート情報を、ネットワークを介して遠方の（あるいはネット上にしか開設していない）店舗から入手できるようになり、それらのデータに基づいてコーディネートを行い、その店舗に発注して商品を購入することができるようになる。また、利用者は、第三者からのコーディネート情報によって、購入候補の商品に関して他の利用者がどのようなユニークなコーディネートをしているのかを知ることができるようになる。そして、これらの入手したコーディネート情報と、利用者自身の写真や、身長や体重などの利用者自身の体型データと、利用者が所有するアイテムに関するデータとを組み合わせることによって、利用者は、シミュレーションにより、利用者の好みや流行などを考慮した柔軟なコーディネートを楽しみながら、試着したときのイメージをつかむことができる。特に、利用者が現在所有している各ファッションアイテム（衣服あるいは装身具）などと購入候補の商品とを色々組み合わせながらコーディネートの検討をすることが可能であり、複数の商品の柔軟なコーディネートを楽しむことができる。
【００１８】
また、本発明によれば、利用者は、自分自身のコーディネート情報をネットワーク上で公開することにより、他の利用者から、流行に合わせたコメントや新しいコーディネート提案を受けることができ、今まで気づいていなかった趣味嗜好や流行ファッションなどに気が付くことができるようになる。
【００１９】
本発明では、利用者（購入者）は、実際に店舗を訪れなくても商品情報およびコーディネート情報を得ることが可能である。このことは、店舗側の視点に立てば、各店舗では商品の展示スペースが限られているためにコーディネート情報を提供できる商品数にも限界があるが、本発明によれば、展示できていない種々の商品のコーディネート情報をも購入者側に提供することができるので、それにより、購入者（消費者）に対しては商品購入の新たな可能性を与えることとなり、店頭売り以外の新しい販路（ネット販売など）の拡大が可能となって、売り上げ増加を推進する。
【発明を実施するための最良の形態】
【００２０】
次に本発明の好ましい実施形態について、図面を参照して説明する。図１は、本発明の第１の実施形態のアイテムコーディネート支援システムの構成を示すブロック図である。
【００２１】
複数の店舗１，９には、それぞれ、インターネットで代表されるＩＰ通信網１９に接続する情報通信端末２，１０が設置されており、情報通信端末２，１０には、それぞれ、商品ＤＢ（データベース）３，１１が接続している。店舗１，９で買い物をする顧客として、利用者４，１２が存在する。利用者４は、ＩＰ通信網１９に接続する情報通信端末５と、同じくＩＰ通信網１９に移動情報通信端末８として、携帯電話機７、ＰＤＡ（携帯情報端末；Personal Digital Assistants）８などを保有している。携帯電話機７は、移動通信網２０を介してもＩＰ通信網１９に接続している。同様に利用者１２は、ＩＰ通信網１９に接続する情報通信端末１３と、同じくＩＰ通信網１９に移動情報通信端末１４として、携帯電話機１５、ＰＤＡ１６などを保有している。さらに、第三者である他の利用者１７が存在し、他の利用者１７は、ＩＰ通信網１９に接続する情報通信端末１８を保有している。店舗１，９は、いずれも、衣服、装身具、服飾品の少なくとも１つを販売するものである。
【００２２】
商品情報ＤＢ３，１１は、いずれもその店舗１，９で販売する商品（衣服、装身具、服飾品など）に関する商品データとその商品がどれだけ在庫しているかを示す在庫商品データとを少なくとも含む商品情報と、商品ごとにその店舗が推薦する形状やコーディネート形態（商品が衣服の場合であれば上下の組合せ、さらには靴や装身具（帽子、ネックレスなど）などとの組合せ）、写真、サイズなどのコーディネート情報と、を格納するものである。以下の説明では、商品情報とコーディネート情報とを総称して、商品総合データ３０と呼ぶ。したがって、商品総合データ３０には、商品データとして、衣服あるいは装身具の商品名（シャツとかブローチ）、Ａ社、Ｂ社、…などの生産メーカ名と、商品の価格と、綿など素材名と、Ｍ，Ｌ，Ｓなどサイズと、紺あるいは赤などの色の区別などが含まれ、在庫数量が在庫商品データとして含まれ、商品ごとにその店舗が推奨するコーディネート情報とが含まれることになる。このような商品総合データ３０は、例えば、店舗の店員によって、情報通信端末２，１０によって入力され、商品情報ＤＢ３，１１に格納される。このような商品総合データ３０には、取り扱ってはいるが、店頭では展示（ディスプレイ）されていない商品の分も含まれる。
【００２３】
さらに各店舗１，９は、ＩＰ通信網１９上にホームページを開設しており、情報通信端末２，１０を介して、店舗で販売する商品などの商品総合データ３０がホームページに形成されたＩＰ通信網１９に公開されるようになっている。
【００２４】
各利用者４，１２，１７は、その利用者自身の利用者データと、その利用者の所有するファッションアイテムに関する所有アイテムデータとを、情報通信端末５、１３、１７及び／または移動情報通信端末６，１４に入力して保存する。利用者データには、利用者自身の写真の画像データと、身長（例えば１７０ｃｍとか１５０ｃｍ）や体重（例えば６５ｋｇとか５５ｋｇ）などの体型データとが含まれる。所有アイテムデータには、所有してる衣服（シャツ、ジャケットなど）や装身具（ネックレスなど）の写真と形状とサイズなどの情報が含まれる。利用者データと所有アイテムデータとをまとめて、その利用者に関する利用者総合データと呼ぶ。携帯電話機７，１５あるいはＰＤＡ８，１６などの移動情報通信端末６，１４に利用者総合データ３４（利用者データ及び所有アイテムデータ）を格納する場合には、その移動情報通信端末の記憶容量に応じて、コーディネートのシミュレーションに重要であると思われるファッションアイテムのみの所有アイテムデータを格納するようにすればよい。
【００２５】
図２は、店舗側の情報通信端末と利用者側の情報通信端末（または携帯情報通信端末）との構成の詳細を示すブロック図である。
【００２６】
店舗１，９に設けられる情報通信端末２，１０には、上述したように、商品情報ＤＢ３，１１が接続されている。そして、情報通信端末２，１０は、商品情報ＤＢ３，１１を管理するデータベース管理部３１と、複数の商品のコーディネート情報を提供し管理するコーディネート情報提供部３２と、利用者４，１２からの商品注文を受け付けるとともに商品の発送のための処理を実行する受注処理部３３と、店舗のホームページを管理するホームページ管理部４１と、ＩＰ通信網１９に対して商品情報やコーディネート情報の発信、ホームページの発信、利用者からの商品受注などを含めた各種通信の送受信処理を実行する通信処理部４２と、を備えている。店舗の店員などは、新商品及び販売した商品に対応して、商品総合データ３０を情報通信端末２，１０に常時入力するが、そのような商品総合データ３０は、データベース管理部３１を介して商品情報ＤＢ３，１１に格納されることになる。
【００２７】
各利用者４，１２，１７の情報通信端末５、１３，１８あるいは移動情報通信端末６，１４は、いずれも、利用者総合データ３４を管理する利用者情報管理部３５と、利用者総合データ３４を格納する利用者総合データ格納部３６と、商品のコーディネート情報の検索を行い、コーディネートのシミュレーションの実行と管理を行い、シミュレーション結果を保存するコーディネート管理部３７と、参考のために他の利用者によるコーディネート情報を取得するコーディネート参考情報取得部３８と、店舗に対して商品の発注処理を行う発注処理部３９と、ＩＰ通信網１９（及び／または移動通信網２０）を介して複数の商品販売店１，９のホームページにアクセスし、さらには他の利用者の通信端末と通信するための送受信処理を行う通信処理部４３と、コーディネートのシミュレーション結果や店舗のホームページを表示する表示部４４と、を備えている。利用者は利用者総合データ３４を情報通信端末及び／または移動情報通信端末に格納するが、そのような利用者総合データ３４は、利用者情報管理部３７介して利用者総合データ格納部３６に格納されることになる。
【００２８】
次に、このアイテムコーディネート支援システムの動作について説明する。
【００２９】
利用者４，１２，１７は、その利用者の写真の画像データと、身長や体重などの体型データと、その所有しているアイテム（半袖シャツ、スカート、ジャケットなどの衣服、靴やマフラー、イヤリングやブローチなど装身具）の種類、形状、サイズ、写真などのアイテム情報データを、あらかじめ、その利用者の情報通信端末５、１３，１８及び／または移動情報通信端末６，１４に入力し、そのようなデータ（利用者総合データ３４）をその情報通信端末及び／または移動情報通信端末の利用者総合データ格納部３６に保存する。
【００３０】
次に、利用者４，１２は、その情報通信端末５，１３（及び／または移動情報通信端末６，１４）を用いて、ＩＰ通信網１９上に公開されている店舗１，９のホームページにアクセスし、それらのホームページの内容を表示部４４に表示することによって、それらのホームページに掲載されている衣服（例えば、シャツ、ジャケット、スカートなど）や装身具（イヤリング、ブローチなど）などの商品を閲覧する。そのような商品の中から、利用者は、自らが好みとする数点の商品を選択し、そして選択した商品の商品情報を受信する。
【００３１】
さらに利用者は、選択した商品に関する、店舗が推薦する数点のコーディネート情報を受信する。このコーディネート情報は、店舗が提供するものであるが、他人（多くの場合、店舗の販売員あるいはコーディネートアドバイザ）がコーディネートした結果を示すものである。あるいは、利用者は、ＩＰ通信網１９上に公開している他の利用者１７のコーディネート情報を受信してもよい。そして利用者４，１２は、店舗側から受信した商品情報及びコーディネート情報と、他の利用者１７からのコーディネート情報とを参照しながら、利用者の自身の写真の画像データと、身長や体重などの体型データと、利用者が所有しているアイテムに関するアイテム情報データとを用い、自己の所有するアイテムや選択した商品について、コーディネート管理部３７によって、コーディネートのシミュレーションを行う。シミュレーション結果は、画像として表示部４４に表示させるから、利用者は、組み合わせるアイテム（あるいは商品）をいろいろと変えながら、複数のコーディネートを楽しむことができる。
【００３２】
利用者は、コーディネートのシミュレーションの結果、好みとした商品についてその商品情報を情報通信端末５，１３（あるいは移動情報通信端末６，１４）に保存することができる。また、コーディネートの結果、買いたいと思った商品については、発注処理部３９を介して、各店舗１，９のホームページに対して注文することができ、その商品を購入することができる。
【００３３】
また本実施形態において、利用者４，１２の情報通信端末５，１３（あるいは移動情報通信端末６，１４）は、ＩＰ通信網１７上に公開されている他の利用者１７のコーディネート情報を受信し、受信した商品のコーディネート情報を参考にしてコーディネートのシミュレーションを行い、利用者４，１２自身が感じたアドバイスや流行のコーディネート情報などを、他の利用者１７の情報通信端末１８に送信することもできる。さらに、利用者４，１２自身が仮想的に行ったコーディネートに基づくコーディネート情報をＩＰ通信網１９上に公開し、そのコーディネート情報に対するアドバイスを他の利用者１７から受けることも可能であり、利用者４，１２と他の利用者１７がお互いに自己の所有しているアイテムのコーディネート情報を公開して楽しむことが可能である。
【００３４】
利用者４，１２が外出先で店舗１，９の商品を購入する場合には、利用者４，１２は、携帯電話機７，１５あるいはＰＤＡ８，１６など移動情報通信端末６，１４を使用する。移動情報通信端末６，１４には、その利用者４，１２の写真と体型データと、所有するアイテムについてのアイテム情報データとが格納されている。そして、上述した場合と同様に、店舗からのコーディネート情報と利用者の利用者総合データとに基づいて、商品のコーディネートのシミュレーションを行うことが可能である。このとき、携帯電話機７，１５からは、移動通信網２０及びＩＰ通信網１９を経由して、その利用者４，１２の情報通信端末５，１３内に格納されているその利用者の利用者総合データにアクセスして閲覧することが可能であれば、利用者４，１２の情報通信端末５，１３内に格納されている利用者総合データに基づいてコーディネートのシミュレーションを行うことが可能である。
【００３５】
なお、本実施形態において、利用者の所在地の近隣に店舗が存在するのであれば、利用者は、コーディネートのシミュレーションの結果気に入った商品について、その商品を店頭に展示している店舗に出向いて、その商品の現品に触って確認し、その商品を購入することができる。
【００３６】
以上説明した実施形態では、ＩＰ通信網１９を利用しているが、意味情報ネットワークを用いることによって、あらかじめ設定したアイテム（あるいは商品）についてのコーディネート情報を自動的に収集することなどが可能になる。
【００３７】
図３は、意味情報ネットワークを用いたアイテムコーディネート支援システムの構成を示している。
【００３８】
図３に示すシステムは、図１に示したシステムにおいて、ＩＰ通信網１９上に意味情報ネットワーク２９が構築されるとともに、各情報通信端末２，５，１０，１３，１８及び各移動情報通信端末６，１６が意味情報ネットワーク２９に接続されて意味情報ネットワーク２９にフィルタを設定しイベントを送出できるようにしたものである。具体的には、店舗１，９の情報通信端末２、１０は、衣服や装身具などの商品の商品総合データ３０と、その推薦するコーディネート情報とを意味情報部とデータ部として有するのイベント２６，２８を意味情報ネットワークに送信する機能を有するとともに、商品総合データ３０を意味情報とするフィルタ２２，２４を意味情報ネットワーク２９に登録する機能を有する。利用者４，１２，１７の情報通信端末５，１３，１８及び移動情報通信端末６，１４は、欲しい商品についての商品情報をイベント２５，２７として意味情報ネットワーク２９に送信する機能を有するとともに、欲しい商品の商品情報をフィルタ２１，２３として意味情報ネットワーク２９に登録する機能を有している。他の利用者１７の情報通信端末１８は、コーディネート情報をイベント４０として意味情報ネットワーク２９に送信する機能を有している。
【００３９】
情報通信端末２，５，１０，１３，１８及び移動情報通信端末６，１６には、意味情報ネットワークに接続し、意味情報ネットワークのノードとして機能するためのソフトウェアが実装されている。意味情報ネットワークの詳細については、例えば、特開２００２−９４５６１号公報（特許文献２）に記載されている。意味情報ネットワークのノードとして機能すること以外は、情報通信端末２，５，１０，１３，１８及び移動情報通信端末６，１６は、上述した図１及び図２に示したシステムにおけるものと同様のものである。意味情報ネットワーク２９に対するイベントの送信やフィルタの設定は、通信処理部４２，４３によって行われる。フィルタの発火も通信処理部４２，４３によって検出される。
【００４０】
このシステムでは、店舗１，９の情報通信端末２，１０は、商品情報及びコーディネート情報からなる商品総合データ３０の意味情報部及びデータ部のイベント２６，２８を意味情報ネットワーク２９に送信し、商品情報データ３０の意味情報をフィルタ２２，２４として意味情報ネットワーク２９に登録し設定をする。
【００４１】
例として、店舗１、９の情報通信端末２，１０は、意味情報部が「商品＝シャツ」「○○店」「ブランド名＝○○○」「サイズ＝Ｓ」「色＝紺」「価格＝８５００円」であるフィルタ２２、２４を意味情報ネットワーク２９に登録して設定をする。商品情報のイベント２６，２８としては、意味情報部が「商品＝シャツ」でデータ部が「○○店」「ブランド名＝○○○」「サイズ＝Ｓ」「色＝紺」「価格＝８５００円」であるイベントを送信する。
【００４２】
店舗は、さらに、推薦するコーディネート情報をイベントとして意味情報ネットワーク２９に送信することができる。コーディネート情報としては、例えば、意味情報部が「商品＝シャツ」であって、データ部が［参考コーディネート情報：ブランド名＝○○○：色＝紺：組み合わせ＝「スカート、帽子、ネックレス、靴」］であるイベントが送信される。
【００４３】
利用者４，１２の情報通信端末５，１３（及び／または）移動情報通信端末６，１４には、上述と同様に、その利用者の写真の画像データと、体型データと、その利用者が所有しているアイテムに関するアイテム情報データが設定されている。そして、利用者４，１２は、店舗１，９が扱う商品のうち、商品情報をフィルタ２１，２３として意味情報ネットワークに登録して設定する。また、利用者が欲しい商品情報をイベント２５，２７として意味情報ネットワーク２９に送信する。
【００４４】
例として、利用者４，１２は、欲しい商品情報に対応するものとして、意味情報部を「商品＝シャツ」「ブランド名＝○○○」「サイズ＝Ｓ」「色＝紺」とするフィルタ２１，２３を意味情報ネットワーク２９に登録し設定する。また、意味情報部が「商品＝シャツ」で、データ部が「ブランド名＝○○○」「サイズ＝Ｓ」「色＝紺」「価格＝８５００円」であるものなどのイベント２５，２７を意味情報ネットワーク２９に送信する。
【００４５】
このようにフィルタが設定されイベントが送信されると、意味情報ネットワーク２９上において、店舗１のイベント２６に反応した利用者４のフィルタ２１が発火し、その結果、利用者４は、店舗１の商品情報あるいはコーディネート情報のイベント２６を情報通信端末５及び移動情報通信端末６で自動受信することができる。同様に、意味情報ネットワーク上では、利用者１２の欲しい商品情報のイベント２７に対して、店舗９の商品情報のフィルタ２４が反応して発火し、その結果、店舗９の情報通信端末１０は、利用者１２のイベント２７を自動受信し、利用者１２の欲しい商品情報を知ることができる。
【００４６】
利用者４，１２は、このシステムを利用し、意味情報ネットワーク２９を介して、ＩＰ通信網１９に公開されている他の利用者１７のコーディネート情報を自動受信することができる。例えば、他の利用者１７の情報通信端末１８は、コーディネート情報として、意味情報部が「商品＝シャツ」であって、データ部が［参考コーディネート情報：ブランド名＝○○○：色＝紺：組み合わせ＝「スカート、帽子、ネックレス、靴」］のイベント４０を意味情報ネットワーク２９に送信することができる。意味情報ネットワーク上では、このようなイベント４０に対して、利用者４，１２のフィルタ２１、２３が反応して発火し、その結果、他の利用者１７のコーディネート情報のイベント４０を利用者４，１２の情報通信端末５，１３及び移動情報通信端末６，１４が自動受信することができる。利用者４，１２は、他の利用者１７からのイベント４０のデータ部に閲覧し、そのコーディネート情報を、画像を含めて具体的にコーディネートの参考にしたいと思ったら、ＩＰ通信網１９を経由し、「シャツ」と「スカート、帽子、ネックレス、靴」などの画像を含むコーディネート情報を情報通信端末５，１３にダウンロードすることができる。
【００４７】
利用者４，１２は、店舗１，９のコーディネート情報のイベント２６，２８のデータ部を閲覧し、詳細なコーディネート情報が欲しいときにはＩＰ通信網１９を経由して、画像を含む商品のコーディネート情報をダウンロードすることができる。利用者４，１２は、意味情報ネットワーク上で受信した店舗１，９の商品情報及びコーディネート情報、あるいは他の利用者１７のコーディネート情報と、利用者の写真と体型データと、所有するアイテムに関するアイテム情報データ３４とを用いて、上述と同様に、仮想的にコーディネートのシミュレーションを行ってそれを楽しむことができ、コーディネートした結果、欲しくなった商品を、情報通信端末５，１３（あるいは移動情報通信端末６，１４）によって店舗１，９にで注文することができ、店舗１，９に出向かなくても欲しい商品を購入することができる。
【００４８】
また、利用者４，１２は、他の利用者１７によるコーディネート情報を参考に閲覧しながら気の付いたアドバイスを送ったり、利用者４，１２のコーディネート情報を他の利用者１７に送信したりすることができ、利用者相互間でコーディネートを楽しむことが可能である。店舗１，９としては、商品情報とコーディネート情報とを提供することにより、商品の新しい販売方式が可能となり、商品売り上げ増を期待することができる。
【００４９】
図４は、図３に示した意味情報ネットワーク２９を利用したアイテムコーディネート支援システムの動作を示すフローチャートである。ここでは、利用者４，１２の情報通信端末５，１３及び移動情報通信端末６，１４がフィルタ２１，２３を意味情報ネットワーク２９に登録し、店舗１，９からのイベント２６，２８に応じてフィルタ２１，２３が発火し、イベント２６，２８の商品情報を自動受信する場合の処理が示されている。
【００５０】
利用者４，１２が、ステップＳ１において、「商品＝シャツ」「ブランド名＝○○○」「サイズ＝Ｓ」「色＝紺」など欲しい商品情報を情報通信端末５，１３及び移動情報通信端末６，１４に入力すると、情報通信端末５，１３及び移動情報通信端末６，１４は、ステップＳ２において、「商品＝シャツ」と「ブランド名＝○○○」と「サイズ＝Ｓ」と「色＝紺」との意味情報部を有するフィルタ２１，２３を意味情報ネットワーク２９に登録し、登録されたフィルタ２１，２３は、ステップＳ３において意味情報ネットワーク２９に設定される。一方、店舗１，９の店員が、ステップＳ４において商品情報データ３０を情報通信端末２，１０に入力すると、店舗１，９の情報通信端末２，１０は、ステップＳ５において、意味情報部を「商品＝シャツ」としデータ部を「○○店：ブランド名＝○○○：サイズ＝Ｓ：色＝紺：価格＝８５００円」としたイベント２６，２８を意味情報ネットワーク２９に送信する。
【００５１】
このようにフィルタが設定されイベントが送信されたことにより、ステップＳ６において、意味情報ネットワーク２９上で、利用者４，１２のフィルタ２１、２３が店舗１，９からのイベント２６，２８によって発火し、利用者４，１２の情報通信端末５，１３及び移動情報通信端末６，１４は、ステップＳ７において、店舗１，９のイベント２６，２８を自動受信する。その結果、利用者４，１２は、ステップＳ８において、店舗１，９からの、意味情報部が「商品＝シャツ」であって、データ部が「○○店：ブランド名＝○○○：サイズ＝Ｓ：色＝紺：価格＝８５００円」であるイベント２６，２８を閲覧する。
【００５２】
他の利用者１７の情報通信端末１８は、ステップＳ９において、意味情報部が「商品＝シャツ」であってデータ部が「コーディネート情報：「ブランド名＝○○○」「色＝紺」：組み合わせ＝「スカート、帽子、ネックレス、靴」」であるイベント４０を意味情報ネットワーク２９に送信する。このイベント４０によって、ステップＳ１０において、利用者４，１２のフィルタ２１、２３が発火し、利用者４，１２の情報通信端末５，１３及び移動情報通信端末６，１４は、ステップＳ１１において、他の利用者１７からのイベント４０を自動受信する。その結果、利用者４，１２は、ステップＳ１２において、他の利用者１７によるコーディネート情報を閲覧する。
【００５３】
次に、利用者４，１２の情報通信端末５，１３及び移動情報通信端末６，１４は、ステップＳ１３において、受信したい商品情報及びコーディネート情報を自動設定する。その結果、店舗１，９の情報通信端末２，１０は、ステップＳ１４において、情報通信端末５，１３及び移動情報通信端末６，１４に対し、ＩＰ通信網１９を経由して、商品の画像を含むコーディネート情報を送信する。また、他の利用者１７の情報通信端末１８は、ステップＳ１５において、情報通信端末５，１３及び移動情報通信端末６，１４に対し、ＩＰ通信網１９を介して、画像を含むコーディネート情報を送信する。これにより、ステップＳ１６において、利用者４，１２は、利用者総合データ３４と、店舗１，９及び他の利用者１７からの商品情報及びコーディネート情報とに基づき、仮想的にコーディネートを行うことができ、購入すべき商品を決めることができる。購入すべき商品が決まると、ステップＳ１７において、利用者４，１２は、情報通信端末５，１３及び移動情報通信端末６，１４を用いて、店舗１，９に対して商品を発注する。店舗１，９の店員は、ステップＳ１８において、注文を受け付け、該当する商品を発送する。
【００５４】
以上説明したアイテムコーディネート支援システムにおいて、各情報通信端末２，５，１０，１３，１８は、典型的には、パーソナルコンピュータなどによって構成されている。店舗側の情報通信端末あるいは利用者側の情報通信端末を実現するためのコンピュータプログラムをそのパーソナルコンピュータに読み込ませ、そのプログラムを実行させることによって、そのパーソナルコンピュータが、上述した店舗側の情報通信端末あるいは利用者側の情報通信端末として機能することになる。そのようなプログラムは、ＣＤ−ＲＯＭなどの記録媒体を介して、あるいは、ネットワークを介してパーソナルコンピュータに読み込まれることになる。
【図面の簡単な説明】
【００５５】
【図１】本発明の実施の一形態のアイテムコーディネート支援システムの構成を示す図である。
【図２】店舗側の情報通信端末と利用者側の情報通信端末（または携帯情報通信端末）との構成の詳細を示すブロック図である。
【図３】本発明の別の実施の形態のアイテムコーディネート支援システムの構成を示す図である。
【図４】図３に示したアイテムコーディネート支援システムの処理を示すフローチャートである。
【符号の説明】
【００５６】
１，９    店舗
２，５，１０，１３，１８    情報通信端末
３，１１    商品情報ＤＢ（データベース）
４，１２，１７    利用者
６，１４    移動情報通信端末
７，１５    携帯電話
８，１６    ＰＤＡ（携帯情報端末）
１９    ＩＰ通信網（インターネット）
２０    移動通信網
２１〜２４    フィルタ
２５〜２８，４０    イベント
２９    意味情報ネットワーク（ＳＩＯＮｅＴ）
３０    商品総合データ
３１    データベース管理部
３２    コーディネート情報提供部
３３    受注処理部
３４    利用者総合データ
３５    利用者情報管理部
３６    利用者総合データ格納部
３７    コーディネート管理部
３８    コーディネート参考情報取得部
３９    発注処理部
４１    ホームページ管理部
４２，４３    通信処理部
４４    表示部
【図１】
2006133981.tif 000003
【図２】
2006133981.tif 000004
【図３】
2006133981.tif 000005
【図４】
2006133981.tif 000006